(57)【要約】【課題】自装置に接続されたデータ通信端末の記憶装置に管理情報を記憶することができる中継装置、中継装置の管理情報保存方法および管理情報保存プログラムを提供する。【解決手段】記憶手段１３と、自装置と接続されたデータ通信端末２０を介して、自装置が属するネットワーク内の端末装置と他のネットワークに属する端末装置との間で送受信される通信データを中継する通信手段１２と、通信手段１２の動作履歴を含む管理情報を、記憶手段１３またはデータ通信端末２０が備える記憶装置２１に格納する管理手段１１とを備える。【選択図】図６
2013048347.tif 000002
【特許請求の範囲】
【請求項１】
記憶手段と、
自装置と接続されたデータ通信端末を介して、自装置が属するネットワーク内の端末装置と他のネットワークに属する端末装置との間で送受信される通信データを中継する通信手段と、
前記通信手段の動作履歴を含む管理情報を、前記記憶手段または前記データ通信端末が備える記憶装置に格納する管理手段とを備えた
ことを特徴とする中継装置。
【請求項２】
管理手段は、記憶手段の空き容量を判定し、管理情報を前記記憶手段に格納できないと判断した場合には、データ通信端末が備える記憶装置に管理情報を記憶する
請求項１に記載の中継装置。
【請求項３】
管理手段は、通信可能に接続された端末装置から管理情報の送信要求を受信した場合には、記憶手段またはデータ通信端末が備える記憶装置から管理情報を読み出し、読み出した前記管理情報を前記端末装置に送信する
請求項１または請求項２に記載の中継装置。
【請求項４】
管理手段は、当該管理手段の動作履歴を含む管理情報を記憶手段またはデータ通信端末が備える記憶装置に格納する
請求項１から請求項３のうちのいずれか１項に記載の中継装置。
【請求項５】
管理手段は、通信手段が処理した通信データの統計情報を含む管理情報を、記憶手段またはデータ通信端末が備える記憶装置に格納する
請求項１から請求項４のうちのいずれか１項に記載の中継装置。
【請求項６】
管理手段は、記憶手段の空き容量とデータ通信端末が備える記憶装置の空き容量とを示す情報を含む管理情報を、記憶手段またはデータ通信端末が備える記憶装置に格納する
請求項１から請求項５のうちのいずれか１項に記載の中継装置。
【請求項７】
自装置と接続されたデータ通信端末を介して、自装置が属するネットワーク内の端末装置と他のネットワークに属する端末装置との間で送受信される通信データを中継する中継装置における管理情報保存方法であって、
前記中継装置の動作履歴を含む管理情報を記憶手段に格納するときに前記記憶手段の空き容量を判定し、
前記管理情報を前記記憶手段に格納できないと判断した場合には、前記データ通信端末が備える記憶装置に前記管理情報を記憶する
ことを特徴とする管理情報保存方法。
【請求項８】
自装置と接続されたデータ通信端末を介して、自装置が属するネットワーク内の端末装置と他のネットワークに属する端末装置との間で送受信される通信データを中継する中継装置における管理情報保存プログラムであって、
コンピュータに、
前記中継装置の動作履歴を含む管理情報を記憶手段に格納するときに前記記憶手段の空き容量を判定する処理と、
前記管理情報を前記記憶手段に格納できないと判断した場合には、前記データ通信端末が備える記憶装置に前記管理情報を記憶する処理とを実行させる
ための管理情報保存プログラム。
【発明の詳細な説明】
【技術分野】
【０００１】
本発明は、データ通信端末を介してインターネット通信を行う中継装置に関する。
【背景技術】
【０００２】
ルータなどの中継装置は、管理情報として動作履歴などを含むログ情報を逐次生成し、生成したログ情報を中継装置内部に実装された不揮発性メモリに格納する。中継装置に障害が発生した場合には、不揮発性メモリに保存されたログ情報をもとに障害解析が行われる。そのため、中継装置では、ログ情報を確実に保存できることが要請される。
【０００３】
中継装置の原価や実装上の制約などにより、ログ情報を格納するための十分な記憶容量を備えた不揮発性メモリを中継装置に実装できない場合がある。特に、モバイルルータなどの携帯型の中継装置においては、大容量の不揮発性メモリを搭載することが難しい。
【０００４】
図７は、モバイルルータが不揮発性メモリにログ情報を順次格納する方法の一例を示す説明図である。図８は、モバイルルータが不揮発性メモリ内の最も古いログ情報を新しいログ情報で上書きする方法の一例を示す説明図である。
【０００５】
図７は、モバイルルータに搭載された不揮発性メモリ７００がｎ個（記憶可能な最大個数）のログ情報を格納し、ログ情報８００ｎ＋１を格納する空き容量がない状態を示す。図８は、最も古いログ情報であるログ情報８００１がログ情報８００ｎ＋１で上書きされたときの状態を示す。
【０００６】
図７に示すように、ログ情報を順次格納する方法では、不揮発性メモリ７００がｎ個のログ情報を格納したときに、モバイルルータはｎ＋１個目以降のログ情報を保存することができない。また、図８に示すように、最も古いログ情報を新しいログ情報で上書きする方法では、ログ情報を最新の状態に保つことができるが、古いログ情報がｎ＋１個目以降のログ情報で順次上書きされてしまう。
【０００７】
中継装置に大容量の不揮発性メモリが搭載されていない場合には、障害発生時のログ情報が保存できなくなったり、上書きされたりする可能性がある。
【０００８】
特許文献１には、モバイルルータとして動作し、自装置の現在位置、移動速度、使用中の通信メディアタイプ、電波強度、通信速度および対向装置との間のネットワーク遅延を収集し、収集した情報を統計情報として保持する装置が記載されている。
【先行技術文献】
【特許文献】
【０００９】
【特許文献１】特開２０１０−２２６６６８
【発明の概要】
【発明が解決しようとする課題】
【００１０】
特許文献１に記載された装置は、各地点の統計情報を、装置が備える統計情報管理部に保持させる。統計情報を登録する地点の数が増加した場合には、統計情報管理部が保持する統計情報の容量が増大し統計情報管理部の記憶容量を超えてしまい、新たに生成された統計情報を保存できなくなる可能性がある。
【００１１】
モバイルルータのデータ入出力インタフェースにＵＳＢメモリのような不揮発性メモリを接続することによって、ログ情報を保存するための記憶領域を拡張させる方法がある。しかし、モバイルルータは、データ入出力インタフェースにデータ通信端末を接続してインターネット通信を行うことを目的としている。そのため、モバイルルータがデータ入出力インタフェースを１つしか備えていない場合には、データ入出力インタフェースにＵＳＢメモリを接続してしまうと、データ通信端末が接続できなくなり、中継装置の本来の目的であるインターネット通信ができなくなる。
【００１２】
そこで、本発明は、自装置に接続されたデータ通信端末の記憶装置に管理情報を記憶することができる中継装置、中継装置の管理情報保存方法および管理情報保存プログラムを提供することを目的とする。
【課題を解決するための手段】
【００１３】
本発明による中継装置は、記憶手段と、自装置と接続されたデータ通信端末を介して、自装置が属するネットワーク内の端末装置と他のネットワークに属する端末装置との間で送受信される通信データを中継する通信手段と、通信手段の動作履歴を含む管理情報を、記憶手段またはデータ通信端末が備える記憶装置に格納する管理手段とを備えたことを特徴とする。
【００１４】
本発明による管理情報保存方法は、自装置と接続されたデータ通信端末を介して、自装置が属するネットワーク内の端末装置と他のネットワークに属する端末装置との間で送受信される通信データを中継する中継装置における管理情報保存方法であって、中継装置の動作履歴を含む管理情報を記憶手段に格納するときに記憶手段の空き容量を判定し、管理情報を記憶手段に格納できないと判断した場合には、データ通信端末が備える記憶装置に管理情報を記憶することを特徴とする。
【００１５】
本発明による管理情報保存プログラムは、自装置と接続されたデータ通信端末を介して、自装置が属するネットワーク内の端末装置と他のネットワークに属する端末装置との間で送受信される通信データを中継する中継装置における管理情報保存プログラムであって、コンピュータに、中継装置の動作履歴を含む管理情報を記憶手段に格納するときに記憶手段の空き容量を判定する処理と、管理情報を記憶手段に格納できないと判断した場合には、データ通信端末が備える記憶装置に管理情報を記憶する処理とを実行させることを特徴とする。
【発明の効果】
【００１６】
本発明によれば、自装置に接続されたデータ通信端末の記憶装置に管理情報を記憶することができる。
【図面の簡単な説明】
【００１７】
【図１】本発明による中継装置と中継装置に接続されるデータ通信端末とを示すブロック図である。
【図２】本発明による中継装置の第１の実施形態の構成を示すブロック図である。
【図３】メモリ管理部の第１の実施形態の動作を示すフローチャートである。
【図４】本発明による中継装置の第２の実施形態の構成を示すブロック図である。
【図５】メモリ管理部の第２の実施形態の動作を示すフローチャートである。
【図６】本発明による中継装置の主要部を示すブロック図である。
【図７】モバイルルータが不揮発性メモリにログ情報を順次格納する方法の一例を示す説明図である。
【図８】モバイルルータが不揮発性メモリ内の最も古いログ情報を新しいログ情報で上書きする方法の一例を示す説明図である。
【発明を実施するための形態】
【００１８】
実施形態１．
以下、本発明の第１の実施形態を図面を参照して説明する。
【００１９】
図１は、本発明による中継装置と中継装置に接続されるデータ通信端末とを示すブロック図である。
【００２０】
中継装置１００は、例えば、モバイルルータである。
【００２１】
中継装置１００は、不揮発性メモリである記憶部１１０を備える。
【００２２】
中継装置１００は、データ入出力インタフェース（図示せず）を備える。データ入出力インタフェースは、例えば、ＵＳＢ（Ｕｎｉｖｅｒｓａｌ  Ｓｅｒｉａｌ  Ｂｕｓ）や、ＰＣＩ（Ｐｅｒｉｐｈｅｒａｌ  Ｃｏｍｐｏｎｅｎｔ  Ｉｎｔｅｒｃｏｎｎｅｃｔ）や、ＰＣＩ−Ｅｘｐｒｅｓｓなどである。
【００２３】
中継装置１００は、データ入出力インタフェースを介して、記憶装置２１０を備えるデータ通信端末２００と接続される。記憶装置２１０は、不揮発性メモリである。
【００２４】
中継装置１００は、データ通信端末２００と接続されると、記憶装置２１０を補助記憶装置として認識する。
【００２５】
図２は、本発明による中継装置の第１の実施形態の構成を示すブロック図である。
【００２６】
図２に示すように、中継装置１００は、データ通信端末２００と接続される。データ通信端末２００は、無線ネットワーク５００と接続される。また、中継装置１００は、自装置が属するネットワーク内のパーソナルコンピュータ（ＰＣ）３００と接続される。
【００２７】
中継装置１００は、ＰＣ３００から受信した通信データを、データ通信端末２００を介して無線ネットワーク５００に送出する。また、中継装置１００は、データ通信端末２００を介して無線ネットワーク５００から受信した通信データをＰＣ３００に送信する。
【００２８】
中継装置１００は、記憶部１１０の他に、ルータ機能部１２０と、データ通信部１３０と、ログ管理部１４０と、メモリ管理部１５０とを備える。
【００２９】
ルータ機能部１２０は、通信データのルーティング処理を行う。ルータ機能部１２０は、中継装置１００が備える通信インタフェース（図示せず）を介してＰＣ３００と接続される。ルータ機能部１２０は、ＰＣ３００から受信した通信データをデータ通信部１３０に出力する。また、ルータ機能部１２０は、データ通信部１３０から入力した通信データを、通信インタフェースを介してＰＣ３００に送信する。
【００３０】
ルータ機能部１２０は、ルーティング処理の履歴を示す動作ログ情報を生成する。ルータ機能部１２０は、生成した動作ログ情報をログ管理部１４０に出力する。
【００３１】
データ通信部１３０は、データ入出力インタフェースを介して、データ通信端末２００と通信データの送受信を行う。データ通信部１３０は、ルータ機能部１２０から入力した通信データを、データ通信端末２００に送信する。また、データ通信部１３０は、データ通信端末２００から受信した通信データをルータ機能部１２０に出力する。
【００３２】
データ通信部１３０は、通信データの送受信動作の履歴を示す動作ログ情報を生成する。データ通信部１３０は、生成した動作ログ情報をログ管理部１４０に出力する。
【００３３】
ログ管理部１４０は、管理情報を管理する。なお、本実施形態における管理情報は、動作ログ情報である。
【００３４】
ログ管理部１４０は、ルータ機能部１２０またはデータ通信部１３０から入力した動作ログ情報を、メモリ管理部１５０に出力する。
【００３５】
ログ管理部１４０は、通信インタフェースを介して、ＰＣ４００と接続される。ＰＣ４００は、コンソール端末である。ログ管理部１４０は、ＰＣ４００から動作ログ情報の送信要求を受信する。なお、中継装置１００は、コンソール端末用の通信インタフェースを備え、コンソール端末用の通信インタフェースを介してＰＣ４００と接続されていてもよい。
【００３６】
ログ管理部１４０は、ＰＣ４００から動作ログ情報の送信要求を受信した場合には、メモリ管理部１５０に対して動作ログ情報読み出し要求を通知する。
【００３７】
ログ管理部１４０は、動作ログ情報読み出し要求によってメモリ管理部１５０から取得した動作ログ情報を、ＰＣ４００に送信する。ＰＣ４００に送信された動作ログ情報は、ＰＣ４００が備える表示装置などに出力される。
【００３８】
メモリ管理部１５０は、記憶部１１０と、データ通信端末２００の記憶装置２１０とを管理する。
【００３９】
メモリ管理部１５０は、ログ管理部１４０から動作ログ情報を入力する。メモリ管理部１５０は、入力した動作ログ情報を記憶部１１０に格納する。動作ログ情報を格納するだけの空き容量が記憶部１１０に存在しない場合には、メモリ管理部１５０は、動作ログ情報を記憶装置２１０に格納する。
【００４０】
メモリ管理部１５０は、ログ管理部１４０から動作ログ情報読み出し要求を通知された場合には、記憶部１１０または記憶装置２１０から動作ログ情報を読み出して、読み出した動作ログ情報をログ管理部１４０に出力する。
【００４１】
なお、ルータ機能部１２０と、データ通信部１３０と、ログ管理部１４０と、メモリ管理部１５０とは、例えば、中継装置１００が備えるＣＰＵによって実現される。
【００４２】
次に、本実施形態の動作を説明する。
【００４３】
図３は、メモリ管理部１５０の第１の実施形態の動作を示すフローチャートである。
【００４４】
メモリ管理部１５０は、ログ管理部１４０から動作ログ情報を受信すると（ステップＳ３０１）、記憶部１１０の空き容量と、受信した動作ログ情報のデータ容量とを比較して、動作ログ情報を記憶部１１０に格納できるか否かを判定する（ステップＳ３０２）。
【００４５】
メモリ管理部１５０は、動作ログ情報を記憶部１１０に格納できると判断した場合は（ステップＳ３０２のＹｅｓ）、動作ログ情報を記憶部１１０に格納する（ステップＳ３０３）。
【００４６】
メモリ管理部１５０は、記憶部１１０の空き容量が不足していて、動作ログ情報を記憶部１１０に格納できないと判断した場合は（ステップＳ３０２のＮｏ）、データ通信端末２００の記憶装置２１０の空き容量を確認する。そして、記憶装置２１０の空き容量と、動作ログ情報のデータ容量とを比較して、動作ログ情報を記憶装置２１０に格納できるか否かを判定する（ステップＳ３０４）。
【００４７】
メモリ管理部１５０は、動作ログ情報を記憶装置２１０に格納できると判断した場合は（ステップＳ３０４のＹｅｓ）、動作ログ情報を記憶装置２１０に格納する（ステップＳ３０５）。
【００４８】
メモリ管理部１５０は、記憶装置２１０の空き容量が不足していて、動作ログ情報を記憶装置２１０に格納できないと判断した場合は（ステップＳ３０４のＮｏ）、動作ログ情報を保存せずに処理を終了する。
【００４９】
以上に説明したように、中継装置１００が備える記憶部１１０の空き容量が不足した場合であっても、データ通信端末２００の記憶装置２１０に動作ログ情報を格納することができる。そのため、記憶部１１０の容量不足によって、障害発生時の動作ログ情報が保存されなかったり、上書きされて消去されたりすることがない。
【００５０】
また、記憶装置２１０が、マイクロＳＤ（ｍｉｃｒｏＳＤ（登録商標））カードなどの差し替え可能な記憶媒体である場合には、記憶装置２１０の容量を容易に拡張させることができる。例えば、記憶装置２１０の空き容量が不足した場合であっても、記憶装置２１０を大容量の記憶媒体に差し替えることによって、記憶装置２１０の容量不足を回避することができる。
【００５１】
また、中継装置１００にコンソール端末を接続することによって、記憶部１１０および記憶装置２１０に保存された動作ログ情報をコンソール端末に出力させることができるので、利用者は動作ログ情報の内容の確認および解析を行うことができる。
【００５２】
なお、本実施形態では、ルータ機能部１２０およびデータ通信部１３０の動作ログ情報を保存する場合について説明したが、ログ管理部１４０またはメモリ管理部１５０の動作ログ情報を保存するようにしてもよい。
【００５３】
ログ管理部１４０の動作ログ情報を保存する場合は、ログ管理部１４０が、自身の動作ログ情報をメモリ管理部１５０に出力すればよい。
【００５４】
メモリ管理部１５０の動作ログ情報を保存する場合は、メモリ管理部１５０は、自身の動作ログ情報を一旦ログ管理部１４０に出力する。ログ管理部１４０は、ルータ機能部１２０およびデータ通信部１３０から入力した動作ログ情報と同様に、メモリ管理部１５０から入力した動作ログ情報をメモリ管理部１５０に出力する。これにより、メモリ管理部１５０においてステップＳ３０１〜３０５の処理が実行され、メモリ管理部１５０の動作ログ情報が記憶部１１０または記憶装置２１０に格納される。
【００５５】
また、中継装置１００が、ルータ機能部１２０、データ通信部１３０、ログ管理部１４０およびメモリ管理部１５０以外の構成要素を備えている場合には、それらの構成要素の動作ログ情報を保存するようにしてもよい。
【００５６】
また、本実施形態では、１つの端末装置（ＰＣ３００）が通信インタフェースを介してルータ機能部１２０と接続されている場合を例にしたが、ルータ機能部１２０には端末装置がいくつ接続されていてもよい。また、データ通信端末２００は、無線ネットワーク５００以外のネットワークと接続されていてもよい。
【００５７】
実施形態２．
以下、本発明の第２の実施形態を図面を参照して説明する。
【００５８】
図４は、本発明による中継装置の第２の実施形態の構成を示すブロック図である。
【００５９】
中継装置６００は、ログ管理部１４０の代わりに、状態管理部１６０を備える。中継装置６００のその他の構成は、第１の実施形態の中継装置１００と同様である。
【００６０】
ルータ機能部１２０は、ルーティング情報や、ルーティング処理を行った通信データ数などの統計情報を状態情報として、中継装置６００が備える揮発性メモリ（図示せず）に一時的に保持する。
【００６１】
データ通信部１３０は、データ通信端末２００と送受信した通信データ数などの統計情報を状態情報として、揮発性メモリに一時的に保持する。
【００６２】
メモリ管理部１５０は、記憶部１１０およびデータ通信端末２００の記憶装置２１０の空き容量を示す情報を状態情報として、揮発性メモリに一時的に保持する。
【００６３】
状態管理部１６０は、管理情報を管理する。なお、本実施形態における管理情報は、状態情報である。
【００６４】
状態管理部１６０は、ルータ機能部１２０、データ通信部１３０およびメモリ管理部１５０に状態情報出力要求を通知する。ルータ機能部１２０、データ通信部１３０およびメモリ管理部１５０は、状態情報出力要求を受信すると、揮発性メモリに保持された状態情報を読み出して、状態管理部１６０に出力する。状態管理部１６０による状態情報出力要求は、定期的に通知するようにしてもよいし、任意のタイミングで通知するようにしてもよい。
【００６５】
状態管理部１６０は、状態情報出力要求によって各部から取得した状態情報をメモリ管理部１５０に出力する。メモリ管理部１５０に入力された状態情報は、メモリ管理部１５０によって記憶部１１０または記憶装置２１０に格納される。
【００６６】
状態管理部１６０は、中継装置６００が備える通信インタフェースを介して、ＰＣ４００から状態情報の送信要求を受信する。
【００６７】
状態管理部１６０は、ＰＣ４００から状態情報の送信要求を受信した場合には、メモリ管理部１５０に対して状態情報読み出し要求を通知する。メモリ管理部１５０は、状態情報読み出し要求を受信すると、記憶部１１０または記憶装置２１０から状態情報を読み出して、状態管理部１６０に出力する。
【００６８】
状態管理部１６０は、状態情報読み出し要求によってメモリ管理部１５０から取得した状態情報を、ＰＣ４００に送信する。ＰＣ４００に送信された状態情報は、動作ログ情報と同様に、ＰＣ４００が備える表示装置などに出力される。
【００６９】
なお、状態管理部１６０は、例えば、中継装置６００が備えるＣＰＵによって実現される。
【００７０】
次に、本実施形態の動作を説明する。
【００７１】
図５は、メモリ管理部１５０の第２の実施形態の動作を示すフローチャートである。
【００７２】
メモリ管理部１５０は、状態管理部１６０から状態情報を受信すると（ステップＳ５０１）、記憶部１１０の空き容量と、受信した状態情報のデータ容量とを比較して、受信した状態情報を記憶部１１０に格納できるか否かを判定する（ステップＳ５０２）。
【００７３】
メモリ管理部１５０は、状態情報を記憶部１１０に格納できると判断した場合は（ステップＳ５０２のＹｅｓ）、状態情報を記憶部１１０に格納する（ステップＳ５０３）。
【００７４】
メモリ管理部１５０は、記憶部１１０の空き容量が不足していて、状態情報を記憶部１１０に格納できないと判断した場合は（ステップＳ５０２のＮｏ）、データ通信端末２００の記憶装置２１０の空き容量を確認する。そして、状態情報を記憶装置２１０に格納できるか否かを判定する（ステップＳ５０４）。
【００７５】
メモリ管理部１５０は、状態情報を記憶装置２１０に格納できると判断した場合は（ステップＳ５０４のＹｅｓ）、状態情報を記憶装置２１０に格納する（ステップＳ５０５）。
【００７６】
メモリ管理部１５０は、記憶装置２１０の空き容量が不足していて、状態情報を記憶装置２１０に格納できないと判断した場合は（ステップＳ５０４のＮｏ）、状態情報の保存処理をしない。
【００７７】
以上に説明したように、中継装置６００が備える記憶部１１０の空き容量が不足した場合であっても、データ通信端末２００の記憶装置２１０に状態情報を格納することができる。そのため、記憶部１１０の容量不足によって、障害発生時の状態情報が保存されなかったり、上書きされて消去されたりすることがない。
【００７８】
なお、本実施形態では、ルータ機能部１２０、データ通信部１３０およびメモリ管理部１５０の状態情報を保存する場合について説明したが、中継装置６００が他の構成要素を備えている場合には、それらの構成要素の状態情報を保存するようにしてもよい。
【００７９】
また、中継装置６００は、ログ管理部１４０と状態管理部１６０の両方を備えていてもよい。そのような構成によれば、動作ログ情報と状態情報とを管理情報として記憶部１１０および記憶装置２１０に格納することができる。
【００８０】
図６は、本発明による中継装置の主要部を示すブロック図である。図６に示すように、中継装置１０（図２に示す中継装置１００に相当。）は、記憶手段１３（図２に示す中継装置１００における記憶部１１０に相当。）と、自装置と接続されたデータ通信端末２０（図２に示すデータ通信端末２００に相当。）を介して、自装置が属するネットワーク内の端末装置と他のネットワークに属する端末装置との間で送受信される通信データを中継する通信手段１２（図２に示す中継装置１００におけるルータ機能部１２０およびデータ通信部１３０に相当。）と、通信手段１２の動作履歴を含む管理情報を、記憶手段１３またはデータ通信端末２０が備える記憶装置２１（図２に示すデータ通信端末２００における記憶装置２１０に相当。）に格納する管理手段１１（図２に示す中継装置１００におけるログ管理部１４０およびメモリ管理部１５０に相当。）とを備える。
【００８１】
上記の実施形態には、以下のような中継装置も開示されている。
【００８２】
（１）管理手段１１は、記憶手段１３の空き容量を判定し、管理情報を記憶手段１３に格納できないと判断した場合には、データ通信端末２０が備える記憶装置２１に管理情報を記憶する中継装置。
【００８３】
（２）管理手段１１は、通信可能に接続された端末装置から管理情報の送信要求を受信した場合には、記憶手段１３またはデータ通信端末２０が備える記憶装置２１から管理情報を読み出し、読み出した管理情報を端末装置に送信する中継装置。
【００８４】
（３）管理手段１１は、管理手段１１の動作履歴を含む管理情報を記憶手段１３またはデータ通信端末２０が備える記憶装置２１に格納する中継装置。
【００８５】
（４）管理手段１１（図４に示す中継装置６００における状態管理部１６０およびメモリ管理部１５０に相当。）は、通信手段１２が処理した通信データの統計情報を含む管理情報を、記憶手段１３またはデータ通信端末２０が備える記憶装置２１に格納する中継装置。
【００８６】
（５）管理手段１１は、記憶手段１３の空き容量とデータ通信端末２０が備える記憶装置２１の空き容量とを示す情報を含む管理情報を、記憶手段１３またはデータ通信端末２０が備える記憶装置２１に格納する中継装置。
【符号の説明】
【００８７】
１０、１００、６００  中継装置
１１  管理手段
１２  通信手段
１３  記憶手段
２０、２００  データ通信端末
２１、２１０  記憶装置
１１０  記憶部
１２０  ルータ機能部
１３０  データ通信部
１４０  ログ管理部
１５０  メモリ管理部
１６０  状態管理部
３００、４００  ＰＣ
５００  無線ネットワーク
７００  不揮発性メモリ
８００１〜８００ｎ＋１  ログ情報
【図１】
2013048347.tif 000003
【図２】
2013048347.tif 000004
【図３】
2013048347.tif 000005
【図４】
2013048347.tif 000006
【図５】
2013048347.tif 000007
【図６】
2013048347.tif 000008
【図７】
2013048347.tif 000009
【図８】
2013048347.tif 000010